(57)【特許請求の範囲】
【請求項１】
第１のハウジングと、
前記第１のハウジングに支持される透明なタッチセンサ式ディスプレイデバイスと、
前記第１のハウジングに結合された第２のハウジングと、
前記第２のハウジングに支持されるディスプレイデバイスと、
少なくとも部分的にハードウェアロジックを含むロジックと、
を備え、
前記透明なタッチセンサ式ディスプレイデバイスが、
第１のタッチ入力を検出するための第１のタッチスクリーンインタフェースと、
第２のタッチ入力を検出するための第２のタッチスクリーンインタフェースと、
前記第１のタッチスクリーンインタフェースに１または複数のイメージを表示すべく、前記第１のタッチスクリーンインタフェースと前記第２のタッチスクリーンインタフェースとの間に配置された透明なディスプレイとを有し、
前記１または複数のイメージのうちの少なくとも１つが、前記第１のタッチ入力を受信するための１または複数の領域を画し、
前記第１のハウジングと前記第２のハウジングとは、オープン構成およびクローズ構成間で変換可能であり、
前記第１のハウジングおよび前記第２のハウジングが前記クローズ構成にあるとき、前記ディスプレイデバイスの少なくとも一部分が前記透明なタッチセンサ式ディスプレイデバイスを介して可視状態にあるように、前記透明なタッチセンサ式ディスプレイデバイスが構成され、
前記ロジックは、
前記第１のハウジングおよび前記第２のハウジングが前記オープン構成か、前記クローズ構成かを判断すべく構成され、
前記第１のハウジングおよび前記第２のハウジングが前記クローズ構成のとき、前記第２のタッチスクリーンインタフェースに関連付けられた前記第２のタッチ入力を前記ディスプレイデバイスに対し、タッチスクリーン対話としてマッピングすべく構成され、
前記第１のハウジングおよび前記第２のハウジングが前記オープン構成のとき、前記第１のタッチスクリーンインタフェースに関連付けられた前記第１のタッチ入力を前記ディスプレイデバイスに対し、タッチパッド対話としてマッピングすべく構成される、装置。
【請求項２】
前記第１のタッチスクリーンインタフェースが、第１のタッチスクリーン表面および第１のタッチセンサを含み、かつ、前記第２のタッチスクリーンインタフェースが、第２のタッチスクリーン表面および第２のタッチセンサを含む、請求項１に記載の装置。
【請求項３】
前記透明なディスプレイが、透明な液晶ディスプレイ（ＬＣＤ）である、請求項１または２に記載の装置。
【請求項４】
前記透明なディスプレイが、透明な有機発光ダイオード（ＯＬＥＤ）ディスプレイである、請求項１または２に記載の装置。
【請求項５】
前記透明なディスプレイは、前記第１のハウジングおよび前記第２のハウジングが前記オープン構成のとき、前記第１のタッチスクリーンインタフェースに前記１または複数のイメージを表示する、請求項１から４のいずれか一項に記載の装置。
【請求項６】
さらに、
前記第１のハウジングに支持される非透明なユーザインタフェースを備え、
前記第１のハウジングおよび前記第２のハウジングが前記クローズ構成のとき、前記非透明なユーザインタフェースと整列された前記ディスプレイデバイスの一部分が可視状態にない、請求項１から５のいずれか一項に記載の装置。
【請求項７】
前記透明なディスプレイによって表示される前記１または複数のイメージが、１または複数のユーザインタフェースを含む、請求項１から６のいずれか一項に記載の装置。
【請求項８】
前記１または複数のユーザインタフェースが、タッチパッドを含む、請求項７に記載の装置。
【請求項９】
前記１または複数のユーザインタフェースが、キーボードを含む、請求項７または８に記載の装置。
【請求項１０】
前記１または複数のユーザインタフェースが、キーボード、タッチパッド、スクロールバー、ロッカホイール、およびフェーダを含むリストより選択される少なくとも１つのユーザインタフェースを含む、請求項７に記載の装置。
【請求項１１】
前記１または複数のユーザインタフェースが、前記装置の複数の操作に基づき選択される、請求項７から１０のいずれか一項に記載の装置。
【請求項１２】
前記透明なディスプレイによって表示される前記１または複数のイメージが、１または複数のデスクトップアクセサリを含む、請求項１から１１のいずれか一項に記載の装置。
【請求項１３】
前記１または複数のデスクトップアクセサリが、計算機、時計、およびキーパッドを含むリストより選択される、請求項１２に記載の装置。
【請求項１４】
第１のハウジングに支持されるディスプレイを有する前記第１のハウジングと、
第２のハウジングに支持される１または複数のユーザインタフェースデバイスを有する前記第２のハウジングと、
少なくとも部分的にハードウェアロジックを含むロジックと、
を備え、
前記１または複数のユーザインタフェースデバイスのうちの少なくとも１つが、１または複数のイメージを表示するための透明なタッチセンサ式ディスプレイデバイスによって提供され、
前記透明なタッチセンサ式ディスプレイデバイスが、
第１のタッチ入力を検出するための第１のタッチスクリーンインタフェースと、
第２のタッチ入力を検出するための第２のタッチスクリーンインタフェースと、
前記第１のタッチスクリーンインタフェースに前記１または複数のイメージを表示すべく、前記第１のタッチスクリーンインタフェースと前記第２のタッチスクリーンインタフェースとの間に配置された透明なディスプレイとを含み、
前記第１のハウジングと前記第２のハウジングとがオープン構成およびクローズ構成間で変換可能であるように前記第２のハウジングが前記第１のハウジングに結合され、かつ、
前記第１のハウジングおよび前記第２のハウジングが前記クローズ構成にあるとき、前記ディスプレイの少なくとも一部分が前記透明なタッチセンサ式ディスプレイデバイスを介して可視状態にあるように、前記透明なタッチセンサ式ディスプレイデバイスが構成され、
前記ロジックは、
前記第１のハウジングおよび前記第２のハウジングが前記オープン構成か、前記クローズ構成かを判断すべく構成され、
前記第１のハウジングおよび前記第２のハウジングが前記クローズ構成のとき、前記第２のタッチスクリーンインタフェースに関連付けられた前記第２のタッチ入力を前記ディスプレイに対し、タッチスクリーン対話としてマッピングすべく構成され、
前記第１のハウジングおよび前記第２のハウジングが前記オープン構成のとき、前記第１のタッチスクリーンインタフェースに関連付けられた前記第１のタッチ入力を前記ディスプレイに対し、タッチパッド対話としてマッピングすべく構成される、装置。
【請求項１５】
前記透明なディスプレイが、透明な液晶ディスプレイ（ＬＣＤ）である、請求項１４に記載の装置。
【請求項１６】
前記透明なディスプレイが、透明な有機発光ダイオード（ＯＬＥＤ）ディスプレイである、請求項１４に記載の装置。
【請求項１７】
さらに、
少なくとも部分的にハードウェアロジックを含むロジックを備え、
前記ロジックは、前記第１のハウジングおよび前記第２のハウジングが前記クローズ構成のとき、前記ディスプレイの一部分に対する電力を低減すべく構成された、請求項１４から１６のいずれか一項に記載の装置。
【請求項１８】
前記透明なディスプレイは、前記第１のハウジングおよび前記第２のハウジングが前記オープン構成のとき、前記第１のタッチスクリーンインタフェースに前記１または複数のイメージを表示する、請求項１４から１７のいずれか一項に記載の装置。
【請求項１９】
前記透明なディスプレイによって表示される前記１または複数のイメージが、１または複数のユーザインタフェースを含む、請求項１４から１８のいずれか一項に記載の装置。
【請求項２０】
前記１または複数のユーザインタフェースが、キーボード、タッチパッド、スクロールバー、ロッカホイール、およびフェーダを含むリストより選択される少なくとも１つのユーザインタフェースを含む、請求項１９に記載の装置。
【請求項２１】
表示される前記１または複数のユーザインタフェースが、前記装置の複数の操作に基づき選択される、請求項１９に記載の装置。
【請求項２２】
前記透明なディスプレイによって表示される前記１または複数のイメージが、１または複数のデスクトップアクセサリを含む、請求項１４から２１のいずれか一項に記載の装置。
【請求項２３】
前記１または複数のデスクトップアクセサリが、計算機、時計、およびキーパッドを含むリストより選択される、請求項２２に記載の装置。
【請求項２４】
前記透明なタッチセンサ式ディスプレイデバイスが前記ディスプレイと略同一サイズであり、
前記第１のハウジングおよび前記第２のハウジングが前記クローズ構成にあるとき、前記ディスプレイが前記透明なタッチセンサ式ディスプレイデバイスを介して可視状態にある、請求項１４から２３のいずれか一項に記載の装置。
【請求項２５】
前記第１のハウジングおよび前記第２のハウジングが前記オープン構成にあるとき、ラップトップコンピュータとして動作する、請求項２４に記載の装置。
【請求項２６】
前記第１のハウジングおよび前記第２のハウジングが前記クローズ構成にあるとき、タブレットとして動作する、請求項２４または２５に記載の装置。
【請求項２７】
前記１または複数のユーザインタフェースデバイスが、キーボードを含む、請求項１４から２６のいずれか一項に記載の装置。
【請求項２８】
前記１または複数のユーザインタフェースデバイスが、タッチパッドを含む、請求項１４から２７のいずれか一項に記載の装置。
【請求項２９】
前記透明なタッチセンサ式ディスプレイデバイスが前記１または複数のユーザインタフェースデバイスを提供する、請求項１４から２８のいずれか一項に記載の装置。
【請求項３０】
前記透明なタッチセンサ式ディスプレイデバイスによって提供される前記１または複数のユーザインタフェースデバイスが、キーボードを含む、請求項２９に記載の装置。
【請求項３１】
前記透明なタッチセンサ式ディスプレイデバイスによって提供される前記１または複数のユーザインタフェースデバイスが、タッチパッドを含む、請求項２９または３０に記載の装置。
【請求項３２】
第１のハウジングに支持されるディスプレイを有する前記第１のハウジングと、
第２のハウジングに支持される透明なタッチセンサ式ディスプレイデバイスを有する前記第２のハウジングと、
少なくとも部分的にハードウェアロジックを含むロジックと、
を備え、
前記第１のハウジングと前記第２のハウジングとがオープン構成およびクローズ構成間で変換可能であるように前記第２のハウジングが前記第１のハウジングに結合され、
前記第１のハウジングおよび前記第２のハウジングが前記オープン構成にあるとき、前記透明なタッチセンサ式ディスプレイデバイスが、１または複数のユーザインタフェースデバイスを表示し、かつ、第１のタッチ入力を検出すべく構成されており、かつ、
前記第１のハウジングおよび前記第２のハウジングが前記クローズ構成にあるとき、前記透明なタッチセンサ式ディスプレイデバイスが、前記ディスプレイの少なくとも一部分が前記透明なタッチセンサ式ディスプレイデバイスを介して可視状態にあり、かつ、第２のタッチ入力を検出すべく構成され、
前記ロジックは、
前記第１のハウジングおよび前記第２のハウジングが前記オープン構成か、前記クローズ構成かを判断すべく構成され、
前記第１のハウジングおよび前記第２のハウジングが前記クローズ構成にあるとき、前記第２のタッチ入力を前記ディスプレイに対し、タッチスクリーン対話としてマッピングすべく構成され、
前記第１のハウジングおよび前記第２のハウジングが前記オープン構成にあるとき、前記第１のタッチ入力を前記ディスプレイに対し、タッチパッド対話としてマッピングすべく構成される、装置。
【請求項３３】
前記透明なタッチセンサ式ディスプレイデバイスが、
前記第１のタッチ入力を検出するための第１のタッチスクリーンインタフェースと、
前記第２のタッチ入力を検出するための第２のタッチスクリーンインタフェースと、
前記１または複数のユーザインタフェースを表示すべく、前記第１のタッチスクリーンインタフェースと前記第２のタッチスクリーンインタフェースとの間に配置された透明なディスプレイとを含む、請求項３２に記載の装置。
【請求項３４】
前記透明なディスプレイが、透明な液晶ディスプレイ（ＬＣＤ）である、請求項３３に記載の装置。
【請求項３５】
前記透明なディスプレイが、透明な有機発光ダイオード（ＯＬＥＤ）ディスプレイである、請求項３３に記載の装置。
【請求項３６】
前記第１のハウジングおよび前記第２のハウジングが前記クローズ構成にあるとき、タブレットとして動作し、
さらに、
少なくとも部分的にハードウェアロジックを含むロジックであって、前記装置の方向を判断すべく、かつ、前記第１のハウジングおよび前記第２のハウジングが前記クローズ構成にあるとき、前記装置の前記方向に基づき、前記ディスプレイを構成すべく構成されたロジックと
を備える、請求項３２から３５のいずれか一項に記載の装置。
【請求項３７】
前記第１のハウジングおよび前記第２のハウジングが前記オープン構成にあるとき、ラップトップコンピュータとして動作する、
請求項３２から３６のいずれか一項に記載の装置。
【請求項３８】
前記透明なタッチセンサ式ディスプレイデバイスによって表示される前記１または複数のユーザインタフェースが、キーボード、タッチパッド、スクロールバー、ロッカホイール、およびフェーダを含むリストより選択される少なくとも１つを含む、請求項３２から３７のいずれか一項に記載の装置。
【請求項３９】
前記透明なタッチセンサ式ディスプレイデバイスによって表示される前記１または複数のユーザインタフェースが、前記装置の複数の操作に基づき選択される、請求項３２から３８のいずれか一項に記載の装置。
【請求項４０】
前記透明なタッチセンサ式ディスプレイデバイスがさらに、１または複数のデスクトップアクセサリを表示する、請求項３２から３９のいずれか一項に記載の装置。
【請求項４１】
前記透明なタッチセンサ式ディスプレイデバイスによって表示される前記１または複数のデスクトップアクセサリが、計算機、時計、およびキーパッドを含むリストより選択される少なくとも１つを含む、請求項４０に記載の装置。
【発明の詳細な説明】
【技術分野】
【０００１】
この発明は、デュアル構成コンピュータに関する。
【背景技術】
【０００２】
従来の複数のラップトップまたはノートパソコンでは、表示される情報を見るべく、またはノートパソコンと対話すべく、ノートパソコンを開いておく必要がある。その結果、今日、多くのユーザは、席についているときや、コーヒーショップで座っているときなど、ユーザが動かないときにノートパソコンを使用するのみである。現行のノートパソコンの複数のデザインに関する人間工学的欠点は、歩行中または起立中等、ユーザが動いている際、ノートパソコンは使用中とできないという点である。というのは、ノートパソコンのディスプレイは通常、ノートパソコンの蓋が開いている場合のみ視認可能だからである。
【０００３】
複数のタブレットデバイスは通常、タッチセンサ式であり、ユーザインタフェースを提供する、情報を表示するためのディスプレイを含む。よって、複数のタブレットデバイスは、ユーザがデバイスを開く必要なく、デバイスと対話することを可能にする。従って、複数のタブレットデバイスはユーザが動作中に使用可能である。しかしながら、タブレットと対話するためのフルキーボード等がないので、複数のタブレットは限定的なユーザインタフェースを提供していること、およびタッチスクリーン上のキーボードの使用は、ディスプレイ上に表示可能なものに制限されていること、という欠点がある。
【発明の開示】
【０００４】
様々な実施形態に係る複数の特徴および利点は、以下の詳細な説明から明らかになる。
【図面の簡単な説明】
【０００５】
【図１Ａ】一実施形態に係るオープン構成のラップトップコンピュータの一例を示す。
【図１Ｂ】一実施形態に係るクローズ構成のラップトップコンピュータの一例を示す。
【図２】一実施形態に係る透明なタッチセンサ式表面の高レベルレイアウトの一例を示す。
【図３Ａ】一実施形態に係る透明なタッチセンサ式ディスプレイの高レベルレイアウトの一例を示す。
【図３Ｂ】一実施形態に係る、複数の異なるフォーマットのイメージを表示可能な、透明なタッチセンサ式ディスプレイの高レベルレイアウトの一例を示す。
【図４Ａ】一実施形態に係るオープン構成のラップトップコンピュータの一例を示す。
【図４Ｂ】一実施形態に係る、透明な表面上に表示される追加のユーザインタフェースを有する透明な表面の一例を示す。
【図４Ｃ】一実施形態に係る、透明な表面上に表示される複数のデスクトップアクセサリを有する透明な表面の一例を示す。
【図５】一実施形態に係るオープン構成のラップトップコンピュータの一例を示す。
【図６Ａ】一実施形態に係るオープン構成のラップトップコンピュータの一例を示す。
【図６Ｂ】一実施形態に係るクローズ構成のラップトップコンピュータの一例を示す。
【図７Ａ】一実施形態に係るコンバーチブルなラップトップ／タブレットコンピュータの様々な実施形態を示す。
【図７Ｂ】一実施形態に係るコンバーチブルなラップトップ／タブレットコンピュータの様々な実施形態を示す。
【図７Ｃ】一実施形態に係るコンバーチブルなラップトップ／タブレットコンピュータの様々な実施形態を示す。
【図７Ｄ】一実施形態に係るコンバーチブルなラップトップ／タブレットコンピュータの様々な実施形態を示す。
【図７Ｅ】一実施形態に係るコンバーチブルなラップトップ／タブレットコンピュータの様々な実施形態を示す。
【図８】一実施形態に係るクローズ構成で、少なくとも部分的な機能を維持するラップトップコンピュータのシステムダイヤグラムの一例を示す。
【発明を実施するための形態】
【０００６】
ラップトップコンピュータのディスプレイは通常、ラップトップコンピュータが閉じられたとき、基部としての役割を果たすキーボードの上に置かれ、蓋としての役割を果たす。ディスプレイ（蓋）の上面は通常、Ａ面と呼ばれ、蓋のディスプレイ側面は通常、Ｂ面と呼ばれ、基部のキーボード側面は通常、Ｃ面と呼ばれ、基部の裏面は通常、Ｄ面と呼ばれる。これらの文字が、説明、記載、および／または理解の簡便さのため、本明細書および複数の図面内で使用される可能性がある。
【０００７】
ラップトップコンピュータが閉じられているとき、ディスプレイ（Ｂ面）も、キーボード（Ｃ面）も利用不能（操作機能なし）である。少なくともその操作機能のサブセット（例えば、一部のディスプレイの可視性、一部のユーザインタフェース機能）を維持するラップトップを提供すると有益であると思われる。透明な表面を少なくとも基部の一部として使用すると、クローズ構成（閉じられた構成）において、ディスプレイの少なくとも一部を底部（Ｄ面を介して）から可視状態にできる。透明な表面がタッチセンサ式であれば、透明な表面によってユーザは、クローズ構成において、透明な表面を介して可視状態にあるディスプレイの少なくとも一部とやり取りできるようになる。オープン構成（開かれた構成）で、タッチセンサ式の態様は、ユーザインタフェースとして動作する（タッチパッド等）。例えば、透明な表面が、透明な液晶ディスプレイ（ＬＣＤ）および／または透明な有機発光ダイオード（ＯＬＥＤ）等、透明なディスプレイを含んでいれば、複数のイメージをそこに表示できる。上記複数のイメージは、コンピュータに追加の複数のインタフェースオプションを提供すべく、複数のユーザインタフェース等とすることができる。
【０００８】
図１Ａは、オープン構成のラップトップコンピュータ１００の一例を示す。  コンピュータ１００は、ヒンジ等（参照番号なし）を介して、互いに枢動可能に接続されたディスプレイ１１０およびキーボード１２０を含む。キーボード１２０は閉じられたとき、ディスプレイ１１０全体を覆わないよう、ディスプレイ１１０の高さ（Ｈ１）より低い高さ（Ｈ２）を有している。キーボード１２０の下部から透明な表面１３０が延在している。基部としての役割を果たす、キーボード１２０および透明な表面１３０の高さの組み合わせ（Ｈ２＋Ｈ３）は、蓋としての役割を果たすディスプレイ１１０の高さとほぼ同じである。透明な表面１３０は、両面においてタッチスクリーンインタフェースとして動作可能である（詳細は後述する）。ディスプレイ１１０は内容を表示するためのものであり、キーボード１２０はユーザインタフェースであり、透明な表面１３０はパームレストとしての機能を果たしてよく、またユーザインタフェースとして動作してよい。透明な表面１３０の一部分はユーザインタフェース領域として画してよく、よってタッチセンサ式であってよい（例えば、スペースバーの下方に画されるタッチパッド）。適切な複数のアクションがディスプレイ１１０上で行われるよう、この領域内の複数のタッチおよび／または動作は、コンピュータ１００によって処理可能である。
【０００９】
図１Ｂは、クローズ構成のラップトップコンピュータ１００の一例を示す。図示の通り、キーボード１２０の底面（Ｄ面）は、ディスプレイ１１０の一部分しか覆わないため、透明な表面１３０を介して、ディスプレイ１１０の一部分が可視状態にある。ディスプレイ１１０を覆っている透明な表面１３０は、ユーザが可視状態にあるディスプレイ１１０の一部分と対話可能なように、タッチセンサ式であってよい。透明な表面１３０は、ディスプレイ１１０上のタッチスクリーンインタフェースとして動作する。
【００１０】
コンピュータ１００は透明な表面１３０を介して表示する構成にあるか判断できる（例えば、クローズされ、キーボード１２０の底部がユーザと対面するよう方向付けられている）。ユーザは、何らかのユーザインタフェース（ボタン等）または何らかのアクション（コンピュータ１００を振動させる等）を介して、内容が透明な表面１３０を介して視認可能なモードに入らせるおよび／または出させることができる。コンピュータ１００がこのモードに入ったと判断されると、コンピュータ１００はディスプレイ１１０の操作を、透明な表面１３０を介して可視状態になる、ほぼディスプレイ１１０の一部分のみに限ってよい。つまり、キーボード１２０で覆われたディスプレイ１１０の一部分は電源オフとされてよい。このモード時、ディスプレイ１１０の一部分に表示される内容は、標準的な情報の表示であってよく（少なくとも部分的にユーザ定義としてよい）、あるいはコンピュータ１００がこのモードに入る前のモードによって決定されてよい。
【００１１】
例えば、コンピュータ１００がオープンおよび操作可能な構成にあり、その後、コンピュータ１００がクローズされ、キーボード１２０の底面（Ｄ面）がユーザと対面するよう方向付けられたと判断された場合、ディスプレイ１１０の一部分は電源オフされてよく、ディスプレイ１１０の残りの部分に表示される内容は、先にディスプレイ１１０全体に表示されていたものの縮小版としてよい（表示されていたドキュメントの縮小版、表示されていた複数のプログラムの各縮小版等）。ディスプレイ１１０の一部分の電源オフに加え、コンピュータ１００は、クローズモードでのさらなる省電力化のため、バックライトを選択的にシャットダウンしてよい。表示される内容はユーザによって構成されてよい。コンピュータ１００はこのモードに入った際、ユーザが内容に対し行うことを監視してよく、またコンピュータ１００は、内容の初期の表示方法をコンピュータ１００が追跡により学習したことに基づいて修正してよい。
【００１２】
コンピュータ１００がクローズされ、オフの構成にあり、ユーザがクローズモードでコンピュータ１００を使用したがっていると判断された場合、透明な表面１３０によって覆われたディスプレイの一部分は電源オンにされてよい。ディスプレイ１１０上に提供される内容は、既定で特定の所望のデータ（カレンダ、時計等）および／または他の複数のプログラムまたは内容（複数の電子メール、複数のＴｏＤｏリスト等）へのアクセスであってよい。表示される内容はユーザによって構成されてよい。コンピュータ１００はこのモードに入った際、ユーザが内容に対し行うことを監視してよく、またコンピュータ１００は、内容の初期の表示方法をコンピュータ１００が追跡により学習したことに基づいて修正してよい。
【００１３】
コンピュータ１００は、内容の表示方法を判断すべく、クローズモードでのコンピュータ１００の方向を判断できてよい。つまり、図１Ｂに図示される通り、透明な表面１３０はＣ面の上端に沿って存在し、内容が上端に沿って可視状態にある（横長フォーマットで表示）。コンピュータ１００が回転され、透明な表面１３０が右端に沿って存在する場合、表示される内容は上記のようなものとして表示可能でなくなる（縦長ディスプレイ上に表示される横長フォーマットとしては表示不可）。従って、コンピュータ１００は例えば、３軸アクセラレータを使用して、その方向を判断でき、かつ、方向に基づき、ディスプレイ１１０上の内容の表示を調整してよい。上記の例では、コンピュータ１００が縦長構成に回転されたと判断された場合、内容は縦長フォーマットで表示され得る。
【００１４】
図２は、透明なタッチセンサ式表面１３０の高レベルレイアウトの一例を示す。透明な表面１３０は、静電容量タッチセンサ式テクノロジ、抵抗膜タッチセンサ式テクノロジ、あるいはいずれかの他の適切なタッチセンサ式テクノロジを使用して構成されてよい。透明な表面１３０は、第１のタッチ表面レイヤ２１０、タッチセンサ２２０、および第２のタッチ表面レイヤ２３０を含んでよい。第１のタッチ表面レイヤ２１０はキーボードの表面（Ｃ面）と対面してよく、オープン構成で複数のタッチを受信してよい。第２のタッチ表面レイヤ２３０はキーボードの裏面（Ｄ面）と対面してよく、クローズ構成で複数のタッチを受信してよい。第１のタッチ表面レイヤ２１０および第２のタッチ表面レイヤ２３０は、１または複数のガラス板、プラスチックシート、任意の適切な透明（または半透明な材料）シート、あるいはこれらの何らかの組み合わせを含んでよい。
【００１５】
タッチセンサ２２０は、第１のタッチ表面レイヤ２１０と第２のタッチ表面レイヤ２３０との間に配置されてよい。タッチセンサ２２０は、第１のタッチ表面レイヤ２１０に関連付けられた第１のタッチ入力および第２のタッチ表面レイヤ２３０に関連付けられた第２のタッチ入力を検出するよう構成されてよい。タッチセンサ２２０は、ユーザの指、スタイラス、ペン、またはこれら何らかの組み合わせ等に対する、タッチセンサ式であってよい。
【００１６】
ユーザによる第１のタッチ表面レイヤ２１０および第２のタッチ表面レイヤ２３０への複数のタッチ（つまり複数の接触）は、コンピュータ１００がオープン構成またはクローズ構成かによって、コンピュータ１００により異なって解釈される。例えば、コンピュータ１００がオープン構成の場合、第１のタッチ表面レイヤへの複数のタッチは、コンピュータ１００により、タッチパッドへの複数のタッチとして解釈される。コンピュータ１００がクローズ構成の場合、第２のタッチ表面レイヤへの複数のタッチは、コンピュータ１００により、ディスプレイ１１０への複数のタッチスクリーンタッチとして解釈される。
【００１７】
透明な表面１３０がディスプレイの場合、例えば、１または複数の異なるユーザインタフェースのイメージがそこに表示され得、示される複数のイメージと対話することによって、発生させられるべきそれらのアクションを生じさせることができる。
【００１８】
図３Ａは、透明なタッチセンサ式ディスプレイ３００の高レベルレイアウトの一例を示す。透明なディスプレイ３００は、第１のタッチスクリーンインタフェース３１０、ディスプレイレイヤ３２０、および第２のタッチスクリーンインタフェース３３０を含んでよい。第１のタッチスクリーンインタフェース３１０はＣ面と対面してよく、オープン構成で複数のタッチを受信してよい。第２のタッチスクリーンインタフェース３３０はＤ面と対面してよく、クローズ構成で複数のタッチを受信してよい。第１のタッチスクリーンインタフェース３１０および第２のタッチスクリーンインタフェース３３０は、タッチ表面レイヤおよびタッチセンサを含んでよい。透明なディスプレイレイヤ３２０は、そこに例えば、複数の異なるタイプのユーザインタフェースなど、複数のイメージを表示させてよい。透明なディスプレイレイヤは、当業者にとって公知の、透明な液晶ディスプレイ（ＬＣＤ）または透明な有機発光ダイオード（ＯＬＥＤ）としてよい。透明なＬＣＤは、そこに複数のイメージが表示されるガラス板を含んでよいが、当該イメージを表示させるためのバックライトは含まない。透明なＯＬＥＤは、複数のイメージを表示させるためのライトを含む。従って、透明なＯＬＥＤは、より暗い複数の環境下で使用され得る。透明なディスプレイ３００の背後を暗くした場合（例えば、暗い表面にセットする）、ライトされた環境下では、透明なＯＬＥＤが最適に使用される。
【００１９】
図３Ｂは、複数の異なるフォーマットのイメージ（ライトされた、およびライトされていない）を表示できる、透明なタッチセンサ式ディスプレイ３５０の高レベルレイアウトの一例を示す。透明なディスプレイ３５０は、第１の透明なタッチセンサ式ディスプレイ３６０（透明なＬＣＤ、透明なＯＬＥＤ等）、第２の透明なタッチセンサ式ディスプレイ３８０（透明なＯＬＥＤ、透明なＬＣＤ等）、およびそれらの間に配置されたタッチセンサ３７０を含んでよい。第１のタッチセンサ式ディスプレイ３６０は、Ｃ面と対面してよく、オープン構成で複数のタッチを受信してよい。  第２のタッチセンサ式ディスプレイ３８０は、Ｄ面と対面してよく、クローズ構成で複数のタッチを受信してよい。
【００２０】
タッチセンサ３７０は、コンピュータがオープン構成のとき、第１のタッチセンサ式ディスプレイ３６０に関連付けられた第１のタッチ入力を検出するよう構成されてよい。第１のタッチ入力の複数のタッチは、コンピュータによってタッチパッドへの複数のタッチとして解釈されてよい。タッチセンサ３７０は、コンピュータがクローズ構成のとき、第２のタッチセンサ式ディスプレイ３８０に関連付けられた第２のタッチ入力を検出するよう構成されてよい。第２のタッチ入力の複数のタッチは、コンピュータによってタッチスクリーンへの複数のタッチとして解釈されてよい。タッチセンサ３７０は、ユーザの指、スタイラス、ペン、またはこれら何らかの組み合わせ等に対する、タッチセンサ式であってよい。
【００２１】
オープン構成で１または複数のイメージの表示に使用される透明なディスプレイ３６０、３８０は、バックライトが望まれているか否かによって選択されてよい。上記選択は、コンピュータが使用されている環境に基づいて行われてよい。例えば、アンビエント照明が利用可能な場合、複数のイメージは透明なＬＣＤディスプレイによって表示されてよい。環境が薄暗く照らされている場合、複数のイメージは透明なＯＬＥＤによって表示されてよい。
【００２２】
図４Ａは、オープン構成のラップトップコンピュータ４００の一例を示す。コンピュータ４００は、そこに複数のイメージを表示できる透明な表面４３０を含む。透明な表面４３０は、透明な表面４３０上に表示される複数のイメージを生成する、透明なＬＣＤ（別個に図示せず）を含んでよい。透明な表面４３０は、その内部に画されたトラックパッド４４０（ユーザがディスプレイ１１０周辺にカーソルをガイドできるようにする）およびスクロールバー４４５（ユーザがディスプレイ上に表示されるイメージを上下、あるいは可能であれば左右にスクロールできるようにする）を含む。トラックパッド４４０およびスクロールバー４４５のサイズおよび位置は、ユーザによって構成可能としてよい。コンピュータ４００は、透明な表面４３０上に表示される複数のイメージ、タッチ対話、およびそこへの複数の応答を調整できる。
【００２３】
透明な表面４３０上に表示される複数のイメージは、特定のタイプのユーザインタフェースに限定されない。むしろ、現行の範囲から逸脱することなく、あらゆるタイプのユーザインタフェースが表示され得る。表示される複数のユーザインタフェースは、ユーザ定義のものであってよい。複数の異なる使用ケースに対し、異なるユーザインタフェースが選択されてよい。一実施形態によると、コンピュータ４００は、複数の特定の使用ケースに対し、複数の定義されたユーザインタフェースを有してよい。一実施形態によると、コンピュータ４００上で実行中の複数のアプリケーションは、表示される複数のユーザインタフェースを定義してよい。例えば、ゲームプログラムの使用では、ゲームをするのに役立つ特定の複数のイメージを透明な表面上に表示される結果にしてよい。ユーザは、自身の複数のニーズに合わせるべく、コンピュータおよび／またはコンピュータ上で実行中の複数のアプリケーションによって定義されたユーザインタフェースを再構成できてよい。一実施形態によると、ユーザは、自身が表示させたいユーザインタフェースを定義してよく、および／または自身が複数の異なる使用ケースに関連付けたい複数のユーザインタフェースを定義してよい。複数の異なる使用ケースに対し、どのように複数のユーザインタフェースが定義されているかに関わらず、コンピュータ４００はコンピュータ４００が特定の使用ケース下で稼働中であると判断すると、定義されたユーザインタフェースを表示してよい。
【００２４】
図４Ｂは、音楽編集の使用ケースのための、透明な表面４３０上に含まれる追加の複数のユーザインタフェースを有する透明な表面４３０の一例を示す。透明な表面４３０は、トラックパッド４４０およびスクロールバー４４５に加え、ロッカホイール４５０およびフェーダ４６０を含む。コンピュータ４００は、ロッカホイール４５０およびフェーダ４６０とのユーザのインタフェース、およびそれらへ応じて起こされる複数の応答を調整してよい。音楽編集ユーザインタフェースは、既定のユーザインタフェースとしてもよいし、ユーザがこのユーザインタフェースを表示させたいと思ったときに選択するようにしてもよい。あるいは、コンピュータ４００が、ユーザが音楽編集を実行中または実行しようとしていると判断し、それに応じて音楽編集ユーザインタフェースを表示させるようにしてもよい。図示されていないが、音楽キーボードは、透明な表面４３０上に表示されてよい、別のユーザインタフェースの一例である。
【００２５】
透明な表面４３０上に表示される複数のイメージは、複数のユーザインタフェースに限定されない。むしろ、あらゆるタイプのイメージが表示され得る。例えば、ディスプレイ領域を解放すべく、透明な表面は、通常ディスプレイ１１０上に表示される特定の複数のデスクトップアクセサリを表示させてよい。一実施形態によると、コンピュータ４００は表示される複数のデスクトップアクセサリを選択してよい（可能であれば、ユーザがどのアクセサリを使用するかについての監視に基づいて）。ユーザが、コンピュータ４００によって選択された表示を修正できてよい。一実施形態によると、ユーザが、自身が表示させたいデスクトップアクセサリまたは複数のデスクトップアクセサリを定義してよい。
【００２６】
図４Ｃは、任意の複数のユーザインタフェース（タッチパッド４４０等）に加え、表示される複数のデスクトップアクセサリを有する透明な表面４３０の一例を示す。透明な表面４３０は、トラックパッド４４０およびスクロールバー４４５に加え、計算機（またはキーパッド）４７０および時計４８０を含んでよい。ディスプレイ１１０上に提供される複数のデスクトップアクセサリと同様、透明な表面４３０上に提供される複数のデスクトップアクセサリは、追加情報を提供してよく、あるいはデスクトップアクセサリが選択および／または使用される場合、複数の特定のアクションを実行させてよい。
【００２７】
図５は、オープン構成のラップトップコンピュータ５００の一例を示す。コンピュータ５００は、透明な表面５３０上の複数のイメージを表示させ、ライトを提供すべく、透明な表面５３０を含む。透明な表面５３０は、透明なＬＣＤ（別個に図示せず）およびエッジライティング（別個に図示せず）を含んでよく、あるいは透明な表面５３０は、複数のイメージを生成し、バックライトを提供する透明なＯＬＥＤ（別個に図示せず）を含んでよい。透明な表面５３０は、暗い環境で、透明な表面５３０上に表示される複数のイメージを見るための機能を提供してよい。透明な表面５３０は、任意の数のユーザインタフェースおよび／またはデスクトップアクセサリを含む、任意の数のイメージを表示してよい。図示の通り、透明な表面５３０はトラックパッド５４０およびスクロールバー５４５に加え、計算機５７０を含んでよい。
【００２８】
透明な表面４３０、５３０はキーボード１２０の下端に置かれること（基部の下端になる）に限定されない。むしろ、透明な表面は、現行の発明範囲から逸脱することなく、キーボード上の様々な場所（基部の他の複数の部分を構成し得る）に位置されてよい。
【００２９】
図６Ａおよび図６Ｂは、それぞれオープン構成およびクローズ構成のラップトップコンピュータ６００の一例を示す。コンピュータ６００はディスプレイとほぼ同一の高さを有するキーボード６２０を含む。複数のキーに加え、キーボードはタッチパッド６４０を含んでよい。キーボード６２０は、閉じられたとき、ディスプレイ１１０全体を覆わないよう、ディスプレイ１１０の幅（Ｗ１）より狭い幅（Ｗ２）を有してよい。キーボード６２０の側面から、透明な表面６３０が延在する。キーボード６２０および透明な表面６３０の幅の組み合わせ（Ｗ２＋Ｗ３）が、ほぼディスプレイ１１０の幅になる。オープン構成の場合、透明な表面６３０は、計算機６７０および時計６８０等、様々なイメージをそこに表示させる。クローズ構成の場合、透明な表面６３０がディスプレイ１１０を、透明な表面６３０を介して見られるようにしてよい。
【００３０】
例えば、図１Ａおよび１Ｂに照らし前述したように、コンピュータ６００は、コンピュータ６００がクローズ構成で使用中、ディスプレイの他の複数の部分を電源オフしたり、その部分のみを電源オンにしたりしてよい。さらに、ディスプレイのバックライトは選択的にシャットダウンされてよい。ディスプレイ１１０のこの部分に表示される内容は、一般的情報（カレンダ、時計等）から、より特定の情報（複数のＴｏＤｏリスト、複数の受信電子メールのリスト、作業中の複数のドキュメント等）、作業中または適切に縮小サイズで表示中の特定の複数のアイテム（複数のドキュメント、インターネット）など、多岐にわたってよい。表示される情報は、コンピュータ６００のこの操作モードへの入り方により決定されてよい。表示される情報は、ユーザ定義のもの、標準のものであってよく、あるいはユーザが提供される情報を構成してよい。コンピュータ６００は、クローズモードで使用中のコンピュータ６００の方向（横長、縦長等）を判断し、それによってディスプレイ１１０に表示される複数の内容を調整してよい。
【００３１】
一実施形態によると、透明なレイヤは、複数のキーを有する実際のキーボードが必要とされないよう、キーボードのイメージをそこに提供してよい。コンピュータの基部全体（Ｃ面およびＤ面）を透明なレイヤとしてよい。そのような配置では、クローズ環境でディスプレイ全体を可視状態にしてよい。そのような構成は、オープン環境でのラップトップとして、およびクローズ環境でのタブレットとして活用できる。
【００３２】
図７Ａから図７Ｅは、コンバーチブルなラップトップ／タブレットコンピュータ７００の様々な実施形態を示す。  図７Ａは、オープン構成のコンピュータ７００を示す。コンピュータ７００は、ディスプレイ１１０を固定する上フレーム（蓋）７１５および透明なレイヤ７３０を固定する下フレーム（基部）７３５を含む。透明なレイヤ７３０は、実質ディスプレイ１１０と同一サイズに構成されてよい。透明なレイヤ７３０は、透明なレイヤ７３０上に表示されるキーボード７２０のイメージを有してよく、その結果、キーボードのイメージはキーボードとして動作できる。さらに、透明なレイヤ７３０は複数のユーザインタフェース、複数のデスクトップアクセサリ等として動作できる、他の複数のイメージをそこに含んでよい。図示の通り、透明なレイヤ７３０は、タッチパッド７４０および時計７８０を含む。コンピュータ７００は、透明な表面７３０上に表示される複数のイメージ、タッチ対話、およびそれへの複数の応答を調整してよい。例えば、透明なレイヤ７３０上に表示されるキーボード７２０上の複数のキーを押すと、結果的に複数のキーが選択されるようにしてよい。
【００３３】
図７Ｂは、クローズ構成のコンピュータ７００を示す。ディスプレイ１１０は、透明なレイヤ７３０を介して可視状態にある。透明なレイヤ７３０はタッチスクリーンとして動作する。タッチスクリーン７３０とのやり取りに使用中のスタイラス７９０が示されている。前述の通り、透明な表面（タッチスクリーン）７３０は、例えば、ユーザの指、スタイラス、ペン、またはそれら何らかの組み合わせに対する、タッチセンサ式であってよい。基部７３５は下面に組み込まれた、様々な機能を提供できる複数のユーザインタフェース（複数のボタン等）７９５を含んでよい。
【００３４】
図７Ｃは、オープン構成のコンピュータ７００の側面図を示す。そこでは、蓋７１５は９０度より大きい角度で基部７３５から延在する。図７Ｄは、クローズ構成のコンピュータ７００の側面図を示す。そこでは、蓋７１５は基部７３５上に横になっている。図７Ｅは、オープン構成のコンピュータ７００の斜視図を示す。そこでは、蓋７１５内のディスプレイ１１０と、基部７３５内にキーボード７２０を表示する透明な表面７３０とが示されている。
【００３５】
図８は、クローズ構成において、少なくとも部分的な機能を維持するラップトップコンピュータ８００のシステムダイヤグラムの一例を示す。コンピュータ８００は、透明なディスプレイ８１０、１または複数の透明なタッチセンサ８２０、コンピュータがオープン／クローズ構成にあるかどうかを判断するためのロジック８３０、クローズ構成でのコンピュータの方向を判断するためのロジック８４０、ディスプレイコントローラ８５０、ディスプレイ８６０、複数のタッチ対話をディスプレイにマッピングするロジック８６５、電源管理ロジック８７０、１または複数のプロセッサ８８０、および非一時的プロセッサ読取可能な記憶媒体を含むメモリ８９０を含む。
【００３６】
プロセッサ８８０はコンピュータ８００の操作を制御する。非一時的プロセッサ読取可能な記憶媒体８９０は、プロセッサ８８０による実行時、プロセッサに複数の特定のアクションを実行させるソフトウェアを含んでよい。特定のアクションとしては、ユーザが実行させたい複数の機能を実行すべく、ユーザによって選択される様々なプログラムの実行が挙げられる。コンピュータがオープン／クローズ構成にあるかどうかを判断するためのロジック８３０は、Ｂ面およびＣ面が互いに近接しているかどうかを判断すべく、Ｂ面およびＣ面の隅に配置された複数のセンサを含んでよい。Ｂ面とＣ面が近接しているという判断は、コンピュータ８００がクローズ構成にあることを示し、Ｂ面とＣ面が近接していないという判断は、コンピュータ８００がオープン構成にあることを示す。
【００３７】
コンピュータ８００がオープン構成の場合、ディスプレイコントローラ８５０は適切な内容をディスプレイ８６０上に表示する。オープン構成の場合、Ｃ面に関連付けられたタッチセンサ８２０がアクティブ化される。透明なディスプレイ８１０は、１または複数のイメージをそこに表示する。イメージは１または複数のユーザインタフェースを含んでよく、場合によって１または複数のデスクトップアクセサリを含んでよい。表示される複数のイメージは、コンピュータ８００上で実行中の複数のアプリケーションに基づいてよい。マッピングロジック８６５はタッチセンサ８２０との複数のユーザの対話を、ディスプレイ８６０に対し、複数のタッチパッド対話としてマッピングしてよい。
【００３８】
コンピュータ８００がクローズ構成の場合、ディスプレイコントローラ８５０は、可視状態にあるディスプレイの部分に基づき、適切な内容をディスプレイ８６０上に表示する。電源管理ロジック８７０は、基部によって覆われているディスプレイ８６０の複数の部分（Ｄ面の透明な部分を介して可視状態にない）を電源オフしてよい。電源管理ロジック８７０はまた、ディスプレイ８６０のバックライトを選択的に電源オフしてよい。クローズ構成では、Ｄ面に関連付けられたタッチセンサ８２０がアクティブ化される。マッピングロジック８６５は、タッチセンサ８２０との複数のユーザの対話をディスプレイ８６０に対し、複数のタッチスクリーン対話としてマッピングしてよい。方向ロジック８４０は、クローズ環境のコンピュータ８００の方向（横長、縦長）を判断すべく、３軸アクセラレータを含んでよい。ディスプレイコントローラ８５０は、ディスプレイ８６０の方向に基づき、ディスプレイ８６０上に表示されている内容の方向を修正してよい。
【００３９】
本開示は、特定の複数の実施形態に照らし、説明されたが、本開示はそれら実施形態に限定されることなく、本発明の範囲から逸脱することなく、様々な変更および修正をそれらに加えることが可能であることは明らかである。「一実施形態」または「一の実施形態」との言及は、実施形態に記載された特定の機能、構造または特徴が少なくとも１つの実施形態に含まれることを意味する。従って、本明細書の随所に「一実施形態」または「一の実施形態」という語句が複数現れても、必ずしもすべて同一の実施形態を言及しているとは限らない。
【００４０】
添付の特許請求の範囲の精神および範囲内において、様々な実施形態が広く保護されることが意図されている。
【図１Ａ】
0006045715.tif 000002
【図１Ｂ】
0006045715.tif 000003
【図２】
0006045715.tif 000004
【図３Ａ】
0006045715.tif 000005
【図３Ｂ】
0006045715.tif 000006
【図４Ａ】
0006045715.tif 000007
【図４Ｂ】
0006045715.tif 000008
【図４Ｃ】
0006045715.tif 000009
【図５】
0006045715.tif 000010
【図６Ａ】
0006045715.tif 000011
【図６Ｂ】
0006045715.tif 000012
【図７Ａ】
0006045715.tif 000013
【図７Ｂ】
0006045715.tif 000014
【図７Ｃ】
0006045715.tif 000015
【図７Ｄ】
0006045715.tif 000016
【図７Ｅ】
0006045715.tif 000017
【図８】
0006045715.tif 000018